(57)【要約】【課題】例えば音楽や画像を同時再生する際の組合せ条件を視覚的に分かり易く表示および設定することを可能とした再生装置を提供する。【解決手段】この発明の再生装置は、タッチパネル付画像表示装置を備えており、この表示装置上に画像を再生する画像再生機能を有している。また、音楽を再生する音楽再生機能を有しており、さらに、特殊な映像効果で画像を表示させながら同時に音楽を楽しむことのできる動作モードが設けられている。そして、この再生装置は、音楽、画像および映像効果の組合せを、視認可能な３つの面それぞれに表した立方体（キューブ）のアイコン画像で表示することにより、タッチパネル操作に適した表示・設定用のユーザインタフェースを提供する。【選択図】      図４
2006040134.tif 000002
【特許請求の範囲】
【請求項１】
再生する音楽を設定する第１の設定手段と、
再生する画像のグループを設定する第２の設定手段と、
映像効果用の画像処理のパターンを設定する第３の設定手段と、
前記第２の設定手段で設定されたグループの各画像を前記第３の設定手段で設定されたパターンの画像処理を施して表示しながら前記第１の設定手段で設定された音楽を再生するリミックス再生手段と、
前記第１乃至第３の設定手段で設定された音楽、グループおよび画像処理パターンの組合せを所定の形状のオブジェクトで表示するオブジェクト表示手段と
を具備することを特徴とする再生装置。
【請求項２】
前記オブジェクト表示手段は、前記第１乃至第３の設定手段で設定された音楽、グループおよび画像処理パターンが第１乃至第３の側面にそれぞれ表された立方体の斜視図を前記オブジェクトとして表示することを特徴とする請求項１記載の再生装置。
【請求項３】
前記オブジェクト表示手段は、前記第２の設定手段で設定されたグループの代表画像を前記オブジェクトに含めて表示することを特徴とする請求項１記載の再生装置。
【請求項４】
前記オブジェクト表示手段は、前記第１の設定手段で設定された音楽に付属されるジャケット画像を前記オブジェクトに含めて表示することを特徴とする請求項１記載の再生装置。
【請求項５】
前記オブジェクト表示手段は、前記第３の設定手段で設定された画像処理パターンに対応するアイコンを前記オブジェクトに含めて表示することを特徴とする請求項１記載の再生装置。
【請求項６】
請求項１乃至５に記載のいずれかの再生装置と、
撮像手段と、
前記撮像手段により撮像された画像を記録する記録手段と
を備え、
前記再生装置の第２の設定手段は、前記記録手段に記録された画像中の任意の画像の組み合わせで構成されるグループを処理対象とすることを特徴とするカメラ。
【請求項７】
音楽、画像群および画像処理パターンの組合せでなる再生条件を表示手段に表示する組合せ条件表示方法であって、
前記再生条件を、音楽、画像群および画像処理パターンを第１乃至第３の側面にそれぞれ表した立方体の斜視図で表示することを特徴とする組合せ条件表示方法。
【請求項８】
画像再生時における複数の再生条件の組合せを表示する画像再生装置の組合せ条件表示方法であって、
前記複数の再生条件を、各再生条件を各側面にそれぞれ表した立法体の斜視図で表示することを特徴とする画像再生装置の組合せ条件表示方法。
【請求項９】
音楽、画像群および画像処理パターンの組合せでなる再生条件を設定する組合せ条件設定方法であって、
前記音楽、画像群および画像処理パターンをそれぞれ設定し、
前記設定した再生条件を、音楽、画像群および画像処理パターンを第１乃至第３の側面にそれぞれ表した立方体の斜視図で表示する
ことを特徴とする組合せ条件設定方法。
【発明の詳細な説明】
【技術分野】
【０００１】
この発明は、例えば音楽および画像を同時に再生する際の再生条件を設定・表示するためのユーザインタフェース技術に関する。
【背景技術】
【０００２】
近年、音楽データや画像データの圧縮符号化技術が向上し、また、半導体メモリの大容量化および低価格化が進んだことから、音楽および画像の双方を再生可能なポータブルタイプのデジタル記録再生装置が普及し始めている。
【０００３】
この種の再生装置では、同一の記録媒体に音楽や画像などの様々な形式のデータを記録できるので、その楽しみ方も多様化している。例えば、音楽と画像とをそれぞれ別々に再生するだけでなく、任意の組み合わせで同時に楽しむことも行われている。
【０００４】
そして、このような楽しみ方を支援するために、音楽と画像との組合せを予め登録する仕組みを提供し、その時の気分や時間帯、環境等に応じて、その中のいずれかを呼び出すことにより、その都度煩わしい組合せ作業を行わずとも、希望する音楽と画像との組合せによる同時再生を実現する方法も提案されている（例えば特許文献１等参照）。
【特許文献１】特開２００２−３０５７０５号公報
【発明の開示】
【発明が解決しようとする課題】
【０００５】
ところで、最近では、ポータブルタイプの電子機器において、ユーザインタフェースにタッチパネルを使用する場合が増えてきている。従って、その操作は、例えばアイコンを用いた視覚的に分かり易いものであることが望ましい。
【０００６】
そのため、前述の音楽と画像とのように、複数の組合せ条件を登録する場合にも、例えばリストを埋めていくようなキーボード操作に適した方法ではなく、視覚的に分かり易いタッチパネル操作に適した方法が強く望まれていた。
【０００７】
この発明は、このような事情を考慮してなされたものであり、例えば音楽や画像を同時再生する際の組合せ条件を視覚的に分かり易く表示および設定することを可能とした再生装置、カメラ、組合せ条件表示方法および組合せ条件設定方法を提供することを目的とする。
【課題を解決するための手段】
【０００８】
前述した目的を達成するために、この発明の再生装置は、再生する音楽を設定する第１の設定手段と、再生する画像のグループを設定する第２の設定手段と、映像効果用の画像処理のパターンを設定する第３の設定手段と、前記第２の設定手段で設定されたグループの各画像を前記第３の設定手段で設定されたパターンの画像処理を施して表示しながら前記第１の設定手段で設定された音楽を再生するリミックス再生手段と、前記第１乃至第３の設定手段で設定された音楽、グループおよび画像処理パターンの組合せを所定の形状のオブジェクトで表示するオブジェクト表示手段とを具備することを特徴とする。
【０００９】
また、この発明のカメラは、前記再生装置と、撮像手段と、前記撮像手段により撮像された画像を記録する記録手段とを備え、前記再生装置の第２の設定手段は、前記記録手段に記録された画像中の任意の画像の組み合わせで構成されるグループを処理対象とすることを特徴とする。
【００１０】
また、この発明の組合せ条件表示方法は、音楽、画像群および画像処理パターンの組合せでなる再生条件を表示手段に表示する組合せ条件表示方法であって、前記再生条件を、音楽、画像群および画像処理パターンを第１乃至第３の側面にそれぞれ表した立方体の斜視図で表示することを特徴とする組合せ条件表示方法。
【００１１】
また、この発明の組合せ条件設定方法は、音楽、画像群および画像処理パターンの組合せでなる再生条件を設定する組合せ条件設定方法であって、前記音楽、画像群および画像処理パターンをそれぞれ設定し、前記設定した再生条件を、音楽、画像群および画像処理パターンを第１乃至第３の側面にそれぞれ表した立方体の斜視図で表示することを特徴とする。
【発明の効果】
【００１２】
この発明によれば、例えば音楽や画像を同時再生する際の組合せ条件を視覚的に分かり易く表示および設定することを可能とした再生装置、カメラ、組合せ条件表示方法および組合せ条件設定方法を提供することができる。
【発明を実施するための最良の形態】
【００１３】
以下、図面を参照してこの発明の一実施形態について説明する。
【００１４】
図１は、本実施形態に係る再生装置の外観図である。この再生装置１は、カメラ付のオーディオプレーヤであり、その筐体正面には、図１（ａ）に示すように、被写体からの被写体光を取り込むための撮影窓１０１と、被写体に向けて補助光を照射するための照明窓１０２が設けられる。
【００１５】
また、この再生装置１の筐体背面には、図１（ｂ）に示すように、タッチパネル付画像表示装置１５が配置される。再生装置１の動作モードが撮影モードにある場合、その表示面には被写体像がいわゆるスルー画として表示され、タッチパネルの任意の検出領域に触れる（接触動作）と、その動作がいわゆるレリーズ指示として認識されて撮影処理が実行される。動作モードが画像再生モードにある場合には、その表示面には例えば１枚の撮影画像が表示され、タッチパネル上での所定の動作に応じて、表示対象の撮影画像を切り換え制御する。また、この再生装置１では、特殊な映像効果で画像を表示させながら同時に音楽を楽しむことのできる動作モードも設けられている。そして、この再生装置１は、この音楽、画像および映像効果の組合せを視覚的に分かり易く設定および表示できるようにしたものであり、この点については後に詳述する。
【００１６】
さらに、この再生装置１の筐体上面には、図１（ｃ）に示すように、電源をオン／オフするための電源ボタン１０３が設けられる。
【００１７】
図２は、本実施形態の再生装置１の機器構成図である。
【００１８】
この再生装置１は、ＣＰＵ１１によって装置全体の制御が司られており、その制御手順を記述した各種プログラムがＲＯＭ１２に格納されている。図１（ａ）に示した撮影窓１０１には、カメラ装置１３のレンズ１３１が設けられ、このレンズ１３１を通過した被写体光は、撮像素子１３２に入射して、その撮像面上に被写体像を結像する。
【００１９】
撮像素子１３２は、光電変換を行なう複数の画素を２次元のマトリクス状に配列して撮像面を構成し、さらに撮像面にカラーフィルタを配置したものであり、撮像面に結像された被写体像に対応した信号電荷を蓄積する。撮像素子１３２は、露光や読み出しなどの各種制御が撮像部１３３によって行われ、その出力は、撮像部１３３でデジタル信号に変換された後、システムバス経由で画像処理部１４に画像信号として入力される。また、撮像部１３３は、ストロボ１３４の発光制御も行っており、ストロボ１３４で発光された補助光は、図１（ａ）に示した照明窓１０２を通過して被写体を照明する。
【００２０】
カメラ装置１３からの画像信号をシステムバス経由で受け取った画像処理部１４は、その画像信号に対して、ＩＳＯ感度設定、オートホワイトバランス、輝度／色信号生成、ガンマ処理等を施すことにより、所定フォーマットのカラー画像信号を生成する。このカラー画像信号は、表示出力に適した形態に変換されてタッチパネル付画像表示装置１５に供給され、スルー画として画像表示部１５１にリアルタイムに表示されると共に、記録に適した形態に変換（圧縮符号化）されてシステムバス経由でハードディスク１６に撮像画像として記録される。
【００２１】
スルー画が画像表示部１５１にリアルタイム表示されるタッチパネル付画像表示装置１５のタッチパネル１５２は、その状態が検出部１７によって監視され、何らかのタッチパネル操作が行われると、タッチされた位置が検出部１７で検出されてその位置情報がＣＰＵ１１に通知される。例えば、前述のレリーズ操作に相当する任意の位置でのタッチを検出部１７から通知されると、ＣＰＵ１１は、画像表示部１５１にスルー画として表示中の画像をハードディスク１６に記録すべく装置全体を制御する。また、この検出部１７からの通知のほか、ＣＰＵ１１は、図１（ｃ）に示した電源ボタン１０３を含む操作部１８からの制御信号に応じて、電源のオン／オフなどの装置全体の制御を実行する。
【００２２】
以上のようにハードディスク１６に記録された撮像画像は、画像再生モード時、画像処理部１４によって読み出され、伸長復号化が施されてタッチパネル付画像表示装置１５の画像表示部１５１に表示される。そして、この画像表示部１５１に表示させる撮像画像の切り換えは、検出部１７からＣＰＵ１１への通知、つまりタッチパネル付画像表示装置１５のタッチパネル１５２上での操作によって実行される。
【００２３】
また、この再生装置１は、クレードルなどと称されるスタンド装置２に取り外し自在に装着することができ、スタンド装置２に装着されると、筐体周壁に設けられたコネクタ１０４がスタンド装置２側のコネクタ２０１と嵌合し、双方が電気的に接続されるようになっている。このスタンド装置２には、ＵＳＢ端子２０２、ビデオ出力端子２０３、ＤＣ入力端子２０４が設けられ、ＵＳＢ端子２０２にはパーソナルコンピュータ（ＰＣ）３、ビデオ出力端子２０３にはテレビジョン装置（ＴＶ）４、ＤＣ入力端子２０４にはＡＣアダプタ５をそれぞれ接続することができる。
【００２４】
ＵＳＢ端子２０２は、コネクタ２０１，１０４経由で再生装置１のインタフェース（ＩＦ）部１９と繋がれ、再生装置１は、このＩＦ部１９の制御の下、ＰＣ３との間で通信を行うことが可能となる。例えば、ハードディスク１６に記録された撮像画像をＰＣ３に転送したり、ＰＣ３から圧縮符号化された音楽データを受信してハードディスク１６に記録することができる。再生装置１は、動作モードとして音楽再生モードを有し、この音楽再生モード時、音声処理部２０は、ハードディスク１６から音楽データを読み出し、伸長復号化およびアナログ化を施して音声出力端子１０５に出力する。ユーザは、ヘッドフォン等を音声出力端子１０５に接続することにより、この音楽を視聴することができる。
【００２５】
また、ビデオ出力端子２０３は、コネクタ２０１，１０４経由で再生装置１の画像処理部１４と繋がれる。画像処理部１４は、ＣＰＵからの通知に応じて、タッチパネル付画像表示装置１５の画像表示部１５１に対するカラー画像信号の供給に代えて、ＴＶ４に対するカラー画像信号の供給を実行する。この際、画像処理部１４は、カラー画像信号を、ＴＶ４での表示出力に適した形態（ＮＴＳＣ）に変換する。
【００２６】
さらに、ＤＣ入力端子２０４は、コネクタ２０１，１０４経由で再生装置１の電源回路２１と繋がれる。電源回路２１は、スタンド装置２を介してＡＣアダプタ５が接続されたことを検知すると、電源をバッテリ２２からＡＣアダプタ５に切り換えると共に、ＡＣアダプタ５からの電力によってバッテリ２２を充電制御する。
【００２７】
図３は、この再生装置１が提示するメニューおよびこのメニューによって形成される再生装置１の主要な状態の階層関係を示す図である。
【００２８】
図３に示すように、再生装置１は、まず、写真メニューａ１、音楽メニューａ２、リミックス（音楽画像）メニューａ３の３つの項目を選択肢として提示する。なお、この再生装置１のＣＰＵ１１は、電源ボタン１０３により電源がオフされた際の状態を保持すると共に、電源ボタン１０３により電源がオンされた際、その保持した状態を復元するいわゆるサスペンド／レジューム機能を有している。従って、電源オン時には、通常は、前回の電源オフ時の画面が提示されることになる。
【００２９】
写真メニューａ１は、画像の撮像、撮像画像の再生、撮像画像の整理を行う際に選択されるメニューである。音楽メニューａ２は、音楽の再生、音楽の検索の際に選択されるメニューである。リミックス（音楽画像）メニューａ３は、特殊な映像効果で再生される画像と共に音楽を再生したり、音楽、画像および映像効果の組合せを設定（リミックスの作成）する際に選択されるメニューである。なお、これらのメニューの選択は、タッチパネル付画像表示装置１５の画像表示部１５１上の表示領域に触れるように各々に対応するタッチパネル１５２上の検出領域に触れることにより行われる。以下、この再生装置１に特有の設定および表示制御に関わるリミックスメニューａ３が選択された場合について説明する。なお、以下では、音楽、画像および映像効果の組合せを単にリミックスということがある。
【００３０】
リミックスメニューａ３が選択されると、再生装置１は、リミックス作成モードａ３１およびリミックス再生画像再生モードａ３２のいずれかに移行するためのメニューを提示する。リミックス作成モードａ３１は、音楽、画像および映像効果の組合せ、つまりリミックスを作成するためのモード、リミックス再生モードａ３２は、作成済みのいずれかのリミックスを再生するためのモードである。そして、リミックス作成モードａ３１が選択されると、再生装置１は、図４に示すリミックス作成の初期画面をタッチパネル付画像表示装置１５の画像表示部１５１に表示する。
【００３１】
このリミックス作成画面に表示される立方体（キューブ）は、視認可能な３つの面それぞれに、画像（ｂ１）、映像効果（ｂ２）、音楽（ｂ３）を表している。つまり、この立方体１つで視覚的にリミックスの内容を提示するものである。図４は、まだ何も設定されていない状態が示されており、立方体の３つの面のいずれかの表示領域に触れる、つまり対応するタッチパネル１５２上の検出領域に触れると、画像表示部１５１の表示は、対応する項目の選択画面に移行する。ここでは、まず、画像（ｂ１）の面が触れられたものとする。図５は、画像の選択画面を示している。
【００３２】
この再生装置１では、複数の画像で構成されるグループをアルバムとして管理する機能を有しており、このアルバム単位でリミックスの画像を選択する。図５に示される「ｓｅａ」、「ｆｒｉｅｎｄｓ」、「ｆｌｏｗｅｒ」等はアルバム名であり、ユーザは、アイコン画像として一覧表示されたアルバムの中から目的のアルバムをその表示領域に触れることによって選択する。各アルバムを示すアイコン画像には、そのアルバムに登録された画像中の代表画像が含まれ、また、その大体の量が感覚的に把握できるように、枚数に応じた厚さに積み上げられた写真の図形も併せて表示される。
【００３３】
画像が選択されると、画像表示部１５１の表示は、その代表画像を画像（ｂ１）の表示領域にはめ込んだ状態で図４に示した画像に復帰する。次に、映像効果（ｂ２）の面が触れられたものとする。図６は、映像効果の選択画面を示している。
【００３４】
この再生装置１では、画像を再生する際、映像効果のために施す種々の画像処理のパターンが予め用意されており、これらの画像処理パターンをテンプレートとしてユーザに提示する。これらの画像処理用のプログラムおよび各パターンを示すアイコン画像は、すべてＲＯＭ１２に格納されている。そして、ユーザは、図５で選択したアルバムの画像表示に適用したい画像処理パターンのテンプレートをこの画面で選択する。具体的には、例えば上段中央のテンプレートＮＯ．３は、複数の画像がハーフトーンで積層されて表示されるような映像効果（フラッシュバック）、また、下段中央のテンプレートＮｏ．４は、画像が映画のフィルム状に切換わるような映像効果（シネマフィルム）である。
【００３５】
映像効果が選択されると、画像表示部１５１の表示は、さらに、そのテンプレートを示すアイコン画像を映像効果（ｂ２）の表示領域にはめ込んだ状態で図４に示した画像に復帰する。そして、最後に、音楽（ｂ３）の面が触れられたものとする。図７は、音楽の選択画面を示している。ここでは、下段中央の破線で囲まれたアイコンに該当する「映像効果」が選択されたとする。
【００３６】
音楽は、スタンド装置２経由で接続されるＰＣ３からアルバム単位に転送されてハードディスク１６に記録される。そこで、まず、第１に、このアルバムに付属するジャケット画像を一覧表示して、ユーザに、目的の音楽を収めたアルバムを選択させる。そして、いずれかのジャケット画像が選択されると、第２に、その選択されたアルバムに収められた音楽の情報を一覧表示する。図８に、この音楽の情報を一覧表示する例を示す。図８に示す例では、演奏家、曲名、ジャンル、演奏時間が上から４段に表示されているので、ユーザは、これらの情報をもとに、目的の音楽を選択する。
【００３７】
以上で、画像、映像効果、音楽のすべての選択が終了し、１つのリミックスが新たに作成され、その管理情報がハードディスク１６に記録される。リミックスは、複数登録しておくことが可能である。一方、このように作成したリミックスを再生するために設けられるのがリミックス再生モードａ３２である。
【００３８】
リミックス再生モードａ３２が選択されると、再生装置１は、各リミックスを表す立方体のアイコン画像を選択肢としてタッチパネル付画像表示装置１５の画像表示部１５１に表示する。図９に示すように、この立方体の各面（ｂ１〜ｂ３）に、それぞれ選択した画像、映像効果、音楽を示す画像が表されている。つまり、このアイコン画像により、ユーザは、視覚的に各リミックスの組合せ内容を把握することができる。その左右に表示されるオブジェクトｃ１，ｃ２は、リミックスを順送りまたは逆送りするためのいわゆるスクロール操作用の釦であり、ユーザはこのオブジェクトｃ１，ｃ２を操作し、目的のリミックスのアイコン画像を表示させて再生釦であるオブジェクトｃ３に触れることにより、そのリミックスの再生を開始させることができる。また、画面の左右に他のアイコンが表示される。これにより、選択可能な他のリミックスアイコンが存在することが判る。
【００３９】
なお、このリミックスのアイコン画像としては、例えば、図１０に示すように、音楽についての表示をアルバムのジャケット画像に代えても良い。その他の表示についても、リミックスの組合せとして何が選択されているのかを表せるものであれば、いずれの情報であっても構わない。
【００４０】
次に、図１１乃至図１３のフローチャートを参照して、この再生装置１のリミックスに関わる動作原理について説明する。図１１には、リミックスに関わる基本フローが示されている。
【００４１】
図１１に示すように、リミックスについて、この再生装置１は、まず、図１２にその流れを示すリミックス作成処理を行い（ステップＡ１）、続いて、図１３にその流れを示すリミックス再生処理を行う（ステップＡ２）。
【００４２】
リミックス作成時、ＣＰＵ１１は、まず、リミックス作成用の立方体（キューブ）を表示し（ステップＢ１）、アルバムアイコン面が選択されると、各アルバムの代表画像をハードディスク１６から読み出して一覧表示する（ステップＢ２）。そして、その中からいずれかが選択されると、ＣＰＵ１１は、そのアルバムをリミックスの構成要素として設定し（ステップＢ３）、その代表画像をはめ込んだ状態でリミックス作成用の立方体（キューブ）を再表示する（ステップＢ４）。
【００４３】
次に、テンプレートアイコン面が選択されると、ＣＰＵ１１は、映像効果用の画像処理パターンを示すアイコン画像をハードディスク１６から読み出して一覧表示する（ステップＢ５）。そして、その中からいずれかが選択されると、ＣＰＵ１１は、その映像効果用の画像処理パターンをリミックスの構成要素として設定し（ステップＢ６）、そのアイコン画像をはめ込んだ状態でリミックス作成用の立方体（キューブ）を再表示する（ステップＢ７）。
【００４４】
最後に、音楽アイコン面が選択されると、ＣＰＵ１１は、各アルバムのジャケット画像をハードディスク１６から読み出して一覧表示し、さらに選択されたアルバムに収められた音楽の情報を一覧表示する（ステップＢ８）。そして、その中からいずれかが選択されると、ＣＰＵ１１は、その音楽をリミックスの構成要素として設定し（ステップＢ９）、リミックスの管理情報をハードディスク１６に記録する。
【００４５】
なお、ここでは、画像、映像効果、音楽の順に設定を行う例を説明したが、これに限らず、どのような順序で設定を行っても構わない。
【００４６】
一方、リミックス再生時、ＣＰＵ１１は、ハードディスク１６に記録されたリミックスの管理情報を読み出し、各リミックスの組合せ内容を立方体（キューブ）で表して一覧表示し（ステップＣ１）、いずれかの立方体が選択されると、そのリミックス用の画像、映像効果、音楽の各再生条件を設定する（ステップＣ２）。そして、再生釦に対するタッチパネル操作に応答して、その再生処理を実行する（ステップＣ３）。
【００４７】
このように、本実施形態では、画像、映像効果、音楽の組合せを立方体（キューブ）で視覚的に分かり易く表現し、タッチパネル操作に適した表示・設定用のユーザインタフェースを提供する。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】この発明の実施形態に係る再生装置の外観図
【図２】同実施形態の再生装置の機器構成図
【図３】同実施形態の再生装置が提示するメニューおよびこのメニューによって形成される再生装置の主要な状態の階層関係を示す図
【図４】同実施形態の再生装置がリミックス作成モード時に表示する初期画面を示す図
【図５】同実施形態の再生装置がリミックス作成モード時に表示する画像の選択画面を示す図
【図６】同実施形態の再生装置がリミックス作成モード時に表示する映像効果の選択画面を示す図
【図７】同実施形態の再生装置がリミックス作成モード時に表示する音楽の第１の選択画面を示す図
【図８】同実施形態の再生装置がリミックス作成モード時に表示する音楽の第２の選択画面を示す図
【図９】同実施形態の再生装置がリミックス再生モード時に選択肢としてリミックスを表す立方体（キューブ）を表示する画面を示す図
【図１０】同実施形態の再生装置がリミックス再生モード時に選択肢としてリミックスを表す立方体（キューブ）を表示する画面の変形例を示す図
【図１１】同実施形態の再生装置が実行制御するリミックスに関わる基本フローを示すフローチャート
【図１２】同実施形態の再生装置が実行制御するリミックス作成処理の流れを示すフローチャート
【図１３】同実施形態の再生装置が実行制御するリミックス再生処理の流れを示すフローチャート
【符号の説明】
【００５０】
１…再生装置、２…スタンド装置、３…パーソナルコンピュータ（ＰＣ）、４…テレビジョン装置（ＴＶ）、５…ＡＣアダプタ、１１…ＣＰＵ、１２…ＲＯＭ、１３…カメラ装置、１４…画像処理部、１５…タッチパネル付画像表示装置、１６…ハードディスク、１７…検出部、１８…操作部、１９…インタフェース（ＩＦ）部、２０…音声処理部、２１…電源回路、２２…バッテリ、１０１…撮影窓、１０２…照明窓、１０３…電源ボタン、１０４…コネクタ、１０５…音声出力端子、１３１…レンズ、１３２…撮像素子、１３３…撮像部、１３４…ストロボ、１５１…画像表示部、１５２…タッチパネル、２０１…コネクタ、２０２…ＵＳＢ端子、２０３…ビデオ出力端子、２０４…ＤＣ入力端子。
【図１】
2006040134.tif 000003
【図２】
2006040134.tif 000004
【図３】
2006040134.tif 000005
【図４】
2006040134.tif 000006
【図５】
2006040134.tif 000007
【図６】
2006040134.tif 000008
【図７】
2006040134.tif 000009
【図８】
2006040134.tif 000010
【図９】
2006040134.tif 000011
【図１０】
2006040134.tif 000012
【図１１】
2006040134.tif 000013
【図１２】
2006040134.tif 000014
【図１３】
2006040134.tif 000015